(57)【要約】【課題】収納空間を効果的に脱臭可能でありながらも、種々の寸法の収納空間に簡易に適用し得る脱臭装置及びこれを備えた収納装置を提供する。【解決手段】前方に開口する収納箱体１０と該収納箱体の前方開口を開閉する扉１６とを備えた収納装置１の収納空間２に設けられる脱臭装置３０であって、前記収納空間の左右の内側面のうちの一方の内側面１３ａとによって少なくとも通気路３６を形成するように該内側面に沿って上下に延びるように設けられ、かつ上端部及び下端部のそれぞれに通気開口部３４，３５を設けたダクト部材３１と、前記通気路を送風する送風器４３と、一方の通気開口部３４に取り付けられる吸込口ユニット４０と、他方の通気開口部３５に取り付けられる吹出口ユニット４５と、を備えている。【選択図】図１
2013183854.tif 000002
【特許請求の範囲】
【請求項１】
前方に開口する収納箱体と該収納箱体の前方開口を開閉する扉とを備えた収納装置の収納空間に設けられる脱臭装置であって、
前記収納空間の左右の内側面のうちの一方の内側面とによって少なくとも通気路を形成するように該内側面に沿って上下に延びるように設けられ、かつ上端部及び下端部のそれぞれに通気開口部を設けたダクト部材と、前記通気路を送風する送風器と、一方の通気開口部に取り付けられる吸込口ユニットと、他方の通気開口部に取り付けられる吹出口ユニットと、を備えていることを特徴とする脱臭装置。
【請求項２】
請求項１において、
前記ダクト部材の上端部及び下端部のそれぞれに設けられた通気開口部は、前記収納空間の他方の内側面側に向けて開口するように形成されており、
前記吸込口ユニット及び前記吹出口ユニットの少なくともいずれか一方は、前記一方の内側面から前記ダクト部材の他方の内側面側に向く外側面までの幅寸法と略同一の幅寸法とされ、前記ダクト部材の外側面側と前記通気路とを連通させるように形成されていることを特徴とする脱臭装置。
【請求項３】
請求項１または２において、
前記ダクト部材は、前記一方の内側面と対向するように間隔を空けて配設され、後端部が前記収納空間の奥側面に当接される側板部と、この側板部の前端部に連なるように設けられ、前記一方の内側面の前端部に当接される前板部と、を備えていることを特徴とする脱臭装置。
【請求項４】
前方に開口する収納箱体と、該収納箱体の前方開口を開閉する扉と、を備え、これら収納箱体及び扉によって区画された収納空間に、請求項１乃至３のいずれか１項に記載の脱臭装置を設けたことを特徴とする収納装置。
【請求項５】
請求項４において、
前記収納空間の他方の内側面から間隔を空けて配設された上下に延びる棒状体を備え、この棒状体と前記他方の内側面とに架け渡すようにして上下に複数の棚板を設けたことを特徴とする収納装置。
【請求項６】
請求項５において、
前記複数の棚板の少なくとも一つの棚板は、多孔状とされていることを特徴とする収納装置。
【発明の詳細な説明】
【技術分野】
【０００１】
本発明は、収納装置に設けられる脱臭装置及びこれを備えた収納装置に関する。
【背景技術】
【０００２】
従来より、収納空間を脱臭する脱臭機能を備えた収納庫が知られている。
例えば、下記特許文献１では、調味料・食品等を収納する収納庫の内側端に、上下端に延設する通気ダクトを設け、この通気ダクト内の中部にオゾン脱臭装置を配設した脱臭機能付収納庫が提案されている。この脱臭機能付収納庫は、通気ダクトの側壁に、収納庫に設けられた複数の棚に応じた複数の吹き出し口及び吸い込み口を設けた構造とされている。
【先行技術文献】
【特許文献】
【０００３】
【特許文献１】特開平５−１４６３２９号公報
【発明の概要】
【発明が解決しようとする課題】
【０００４】
しかしながら、上記特許文献１に記載された脱臭機能付収納庫では、複数の棚に応じた複数の吹き出し口及び吸い込み口を設けた構造とされている。そのため、例えば、上下に比較的に大きい衣類等を収納する収納空間の空気を上下に大きく循環させて送風し、該収納空間を効果的に脱臭する観点等からは更なる改善が望まれていた。
また、このような収納庫は、種々の設置スペース等に対応可能なように異なる寸法とされる場合が多々ある。このような場合には、収納庫内に設けられる脱臭機能を構成する各部材を種々の寸法の収納庫に対応させて用意する必要があり、このような観点からも更なる改善が望まれていた。
【０００５】
本発明は、上記実情に鑑みてなされたものであり、収納空間を効果的に脱臭可能でありながらも、種々の寸法の収納空間に簡易に適用し得る脱臭装置及びこれを備えた収納装置を提供することを目的としている。
【課題を解決するための手段】
【０００６】
上記目的を達成するために、本発明に係る脱臭装置は、前方に開口する収納箱体と該収納箱体の前方開口を開閉する扉とを備えた収納装置の収納空間に設けられる脱臭装置であって、前記収納空間の左右の内側面のうちの一方の内側面とによって少なくとも通気路を形成するように該内側面に沿って上下に延びるように設けられ、かつ上端部及び下端部のそれぞれに通気開口部を設けたダクト部材と、前記通気路を送風する送風器と、一方の通気開口部に取り付けられる吸込口ユニットと、他方の通気開口部に取り付けられる吹出口ユニットと、を備えていることを特徴とする。
【０００７】
本発明においては、前記ダクト部材の上端部及び下端部のそれぞれに設けられた通気開口部を、前記収納空間の他方の内側面側に向けて開口するように形成し、前記吸込口ユニット及び前記吹出口ユニットの少なくともいずれか一方を、前記一方の内側面から前記ダクト部材の他方の内側面側に向く外側面までの幅寸法と略同一の幅寸法とし、前記ダクト部材の外側面側と前記通気路とを連通させるように形成してもよい。
また、本発明においては、前記ダクト部材を、前記一方の内側面と対向するように間隔を空けて配設され、後端部が前記収納空間の奥側面に当接される側板部と、この側板部の前端部に連なるように設けられ、前記一方の内側面の前端部に当接される前板部と、を備えたものとしてもよい。
【０００８】
また、上記目的を達成するために、本発明に係る収納装置は、前方に開口する収納箱体と、該収納箱体の前方開口を開閉する扉と、を備え、これら収納箱体及び扉によって区画された収納空間に、本発明に係る脱臭装置を設けたことを特徴とする。
【０００９】
本発明においては、前記収納空間の他方の内側面から間隔を空けて配設された上下に延びる棒状体を備えたものとし、この棒状体と前記他方の内側面とに架け渡すようにして上下に複数の棚板を設けるようにしてもよい。
また、本発明においては、前記複数の棚板の少なくとも一つの棚板を、多孔状としてもよい。
【発明の効果】
【００１０】
本発明に係る脱臭装置及びこれを備えた収納装置は、上述のような構成としたことで、収納空間を効果的に脱臭可能でありながらも、種々の寸法の収納空間に簡易に適用することができる。
【図面の簡単な説明】
【００１１】
【図１】本発明の一実施形態に係る脱臭装置及びこれを備えた収納装置の一例を模式的に示し、図４におけるＸ−Ｘ線矢視に対応させた一部破断概略縦断面図である。
【図２】（ａ）は、同収納装置を模式的に示す概略正面図、（ｂ）は、（ａ）におけるＹ−Ｙ線矢視に対応させた概略横断面図である。
【図３】（ａ）は、同脱臭装置を模式的に示す概略斜視図、（ｂ）は、同脱臭装置を模式的に示す概略分解斜視図である。
【図４】同収納装置を模式的に示す概略斜視図である。
【発明を実施するための形態】
【００１２】
以下に本発明の実施の形態について、図面に基づいて説明する。
図１〜図４は、本実施形態に係る脱臭装置及びこれを備えた収納装置の一例を模式的に示す図である。
なお、図２（ａ）では、扉を開放させた状態として図示し、図４では、扉を二点鎖線で模式的に示している。
また、以下の実施形態では、脱臭装置を収納装置に設けた状態で、この収納装置に対面した状態を基準として、手前側を前方、その逆側を後方とし、また、その状態を基準として、上下方向及び左右方向等の方向を原則的に説明する。
【００１３】
本実施形態に係る脱臭装置３０は、図４に示すように、前方に開口する収納箱体１０と、この収納箱体１０の前方開口を開閉する扉１６と、を備えた収納装置１の収納空間２に設けられる。
本実施形態に係る収納装置１は、図２（ａ）及び図４に示すように、コートや上着等の衣類５や、傘等の長尺物品６、靴７等の収納が可能とされており、収納装置１を、玄関土間や玄関フロアー等に好適に設置される玄関収納装置とした例を示している。
収納箱体１０は、天板１１と、底板（地板）１２と、左右の側板１３，１４（左側板１３及び右側板１４）と、背板１５と、を備え、これらによって前方に向けて開口する略箱形状とされている。図例では、上下に長尺とされた細長箱形状の収納箱体１０を示している。なお、この収納箱体１０の下端部に台輪等を設けるようにしてもよい。
【００１４】
扉１６は、本実施形態では、収納箱体１０に回動連結部材１８を介して回動自在に連結されている。また、本実施形態では、二枚の扉１６，１６によって収納箱体１０の前方開口を開閉する両開き（観音開き）とされている。
これら扉１６，１６は、それぞれの一側端部が左右の側板１３，１４の前端部に複数（図例では、３つ）の回動連結部材１８を介して回動自在に連結されている。図例では、回動連結部材を、スライド蝶番１８とした例を示している（図２（ｂ）参照）。また、収納装置１は、これら扉１６，１６によって収納箱体１０の前方開口を閉鎖した状態で、これら扉１６，１６の閉鎖状態における背面が収納箱体１０の前端面（天板１１、底板１２及び左右の側板１３，１４の前端面）に当接または近接する構成とされている。つまり、本実施形態では、扉１６，１６は、閉鎖状態でアウトセット状に納められる構成とされている（図２（ｂ）参照）。
また、これら扉１６，１６は、閉鎖状態で互いの他側端部同士が近接または当接する構成とされている。なお、図２及び図４において符号１７は、各扉１６，１６に設けられた把手である。
【００１５】
なお、これら扉１６，１６のうちの一方の扉１６の他側端部に、他方の扉１６の他側端部の戸当りとなる戸当り部を設けるようにしてもよい。また、収納箱体１０の天板１１や底板１２等に、これら扉１６，１６の他側端部が当接する戸当り部を設けるようにしてもよい。
また、扉１６，１６を回動自在に連結する回動連結部材１８としては、スライド蝶番に限られず、羽根蝶番（平蝶番）等の他の連結部材を採用するようにしてもよい。また、閉鎖状態とされた扉１６，１６をインセット状に収納箱体１０内に納める態様としてもよい。
また、収納箱体１０の前方開口を開閉する扉１６，１６としては、両開きの扉１６，１６に限られず、一枚の扉によって開閉する片開きの扉としてもよい。さらには、このような回動連結部材１８を介して回動自在に収納箱体１０に連結された扉（開き戸）１６に限られない。例えば、収納箱体１０の前方開口に、扉１６として、スライド自在とされた複数枚のスライド扉を引き違い状に設けたり、複数枚の戸板を折り畳み展開自在に連結した折戸を設けたりするようにしてもよい。
【００１６】
また、本実施形態では、収納装置１は、収納空間２の右側板１４の内側面（他方の内側面）１４ａから間隔を空けて配設された上下に延びる棒状体１９を備えている。この棒状体１９によって収納空間２が左右に区画されたような構成とされている。この棒状体１９は、上端部が天板１１に固定され、下端部が底板１２に固定されている。また、この棒状体１９は、図２（ｂ）及び図４に示すように、収納箱体１０の上記前端面から奥側に控えた位置において上下に延びるように設けられている。
また、本実施形態では、棒状体１９を、収納箱体１０の左右方向中央よりも一方側（図例では、右側）に寄った位置に設け、棒状体１９の右側空間４よりも左側空間３を大きくした例を示している。図例では、左側空間３の容積を右側空間４の容積の２倍程度とした例を示している。これら右側空間４と左側空間３との容積比は、当該収納装置１に収納される被収納物の種類や使い勝手等に応じて適宜、設定するようにすればよく、これら左右空間３，４を概ね同じ大きさとしてもよく、また、右側空間４よりも左側空間３を小さくしてもよい。
【００１７】
本実施形態では、図２に示すように、棒状体１９の左側空間３を、ハンガー等に掛けたコートや上着等の複数枚の衣類５を前後方向に並べて収納可能とした衣類収納スペースとしている。本実施形態では、この衣類収納スペースにおける天板１１の下方側に吊下部材２０を設けている。この吊下部材２０は、コートや上着等の衣類５を掛けたハンガー等の吊下具を吊り下げるハンガーパイプなどからなり、前後に延びる棒状とされている。この吊下部材２０は、左側空間３の左右方向略中央において長手方向を前後に沿わせて設けられている。また、この吊下部材２０は、その長手方向両端部（前後端部）にブラケット等の取付具２１，２１が取り付けられ、これら取付具２１，２１を介して天板１１に支持されている。
なお、吊下部材２０としては、天板１１の下方側に固定的に設けられたものに限られず、前後方向に出し入れ自在とされたものとしてもよい。また、本実施形態では、吊下部材２０を、天板１１の下方側において前後に延びるように設けた例を示しているが、吊下部材２０を、天板１１の下方側において左右に延びるように設けるようにしてもよい。
【００１８】
また、本実施形態では、棒状体１９の右側空間４を、小分けして靴７や傘等の長尺物品６を収納可能とした小分収納スペースとしている。収納装置１は、棒状体１９と右側板１４の内側面１４ａとに架け渡すようにして上下に間隔を空けて設けられた複数（図例では、３枚）の棚板２２，２２，２２を備えており、これら棚板２２，２２，２２によって右側空間４を上下に小分けしている。
これら棚板２２，２２，２２は、図２（ｂ）に示すように、後端部が背板１５に固定され、右側端部が右側板１４に固定され、左側端部前端が棒状体１９に固定されている。つまり、棒状体１９は、これら棚板２２，２２，２２を支持する棚板支持部材として機能する。
【００１９】
また、これら棚板２２，２２，２２は、右側空間４において、上下に空気の流通が可能なように設けられている。つまり、これら棚板２２，２２，２２は、それぞれの棚板の上側空間と下側空間との互いの空気の流通が可能なように設けられている。
本実施形態では、図２（ｂ）に示すように、これら棚板２２，２２，２２を、閉鎖状態とされた扉１６との間に空気流通空間を形成するように配設している。つまり、これら棚板２２，２２，２２の各前端面を、収納箱体１０の上記前端面から奥側に控えさせた位置としている。また、これら棚板２２，２２，２２の各前端面と閉鎖状態とされた扉１６の背面との間に、これら棚板２２，２２，２２の左右の全体に亘って空気流通空間を設けた例を示している。この空気流通空間の前後寸法は、上下に空気がスムーズに流通するような寸法とすればよく、例えば、１０ｍｍ〜１００ｍｍ程度としてもよい。
このような構成により、これら棚板２２，２２，２２の上下の各収納スペースは、その手前側の出入口側に概ね全体に亘って空気流通空間が形成され、また、その一側方側（左側板１３側）が概ね全体に亘って開放された構成とされている。
【００２０】
また、本実施形態では、これら複数の棚板２２，２２，２２のうちの少なくとも一つの棚板を、多孔状としている（図１も参照）。図例では、３枚の棚板２２，２２，２２の全てを多孔状とした例を示している。これら多孔状の棚板２２，２２，２２は、厚さ方向（上下方向）に貫通する多数の孔を有した構成とされている。このような多孔状の棚板２２，２２，２２としては、枠内にパンチングメタルやメッシュ状（網状）部材を設けたものや、薄平板状部材に多数のスリットを設けたものとしてもよい。
なお、右側空間４において、上下に空気の流通が可能なように棚板を設ける態様としては、本実施形態のように、棚板自体を多孔状とし、かつ棚板の前側に空気流通空間を設けた態様に限られない。例えば、これらの各態様のいずれかを採用するようにしてもよく、またはこれら各態様に代えて、若しくは加えて、棚板の背側に上記同様の空気流通空間を形成するようにしてもよい。この場合は、各棚板の左側端部を複数の棒状体によって支持する態様としてもよい。また、上記した各態様に代えて、または加えて、棚板と右側板１４との間に上記同様の空気流通空間を形成するようにしてもよい。この場合は、各棚板の右側端部を支持する棒状体を設ける態様としてもよい。
【００２１】
これら棚板２２，２２，２２は、それぞれの上側に靴７の載置が可能で、靴７の収納が可能な靴収納スペースが形成されるように設けられており、靴載置部としてそれぞれ機能する。図例では、各棚板２２，２２，２２の上側空間を、それぞれ略同寸法とした例を示しているが、例えば、載置される靴高等に応じて、各棚板２２，２２，２２の上側空間の上下寸法を異ならせるようにしてもよい。
また、図例では、最下段の棚板２２の下側に傘等の長尺物品６の収納が可能な収納スペースが形成されるように、最下段の棚板２２を設けた例を示している。
なお、これら複数の棚板２２，２２，２２の上下の配設位置を変更可能とした態様としてもよい。
また、本実施形態では、右側空間４に、３枚の棚板２２，２２，２２を設けた例を示しているが、２枚でもよく、または、４枚以上の棚板を設けるようにしてもよい。また、例えば、長尺物品の収納スペースを設けずに、右側空間４の全体を、複数の靴収納スペースとしてもよい。
【００２２】
また、図例では、左側空間３を、衣類収納スペースとした例を示しているが、当該収納装置１の収納空間２の全体を、複数の靴収納スペースとしてもよい。例えば、収納空間２に、上下に複数段、左右に複数列の靴収納スペースを設けた構造としてもよい。この場合は、例えば、上記同様の棚板支持部材としての複数の棒状体１９を左右及び前後に必要に応じて設け、これら棒状体１９や側板、背板等によって、上下及び左右にそれぞれ複数設けられる棚板を支持するようにしてもよい。また、この場合は、これら棚板の全てを多孔状としてもよい。また、この場合は、後記する脱臭装置３０と脱臭装置３０に近接する最左列の靴収納スペースとの間に上記同様の空気流通空間を形成するようにしてもよい。また、棚板支持部材としては、上記のような棒状体１９に限られず、左右の靴収納スペースの左右列間に互いに左右に空気の流通が可能となる棚板支持部材を採用するようにしてもよい。例えば、収納空間２を左右に区画するように配設される縦仕切板の背側や前側等に上記同様の空気流通空間を設けた構成としたり、多孔状の縦仕切板を設けた構成としたり、単一または複数の帯板状の縦仕切板を設けた構成としたりしてもよい。
または、このような靴収納スペースや長尺物品の収納スペースを設けずに、収納空間２の全体を、衣類収納スペースとしてもよい。この場合は、棒状体１９を設けないようにしてもよい。また、この場合は、上記同様の吊下部材２０を、左右に間隔を空けて複数本設けるようにしてもよい。つまり、収納空間２に、左右に複数列の衣類収納スペースを設けた構造としてもよい。
【００２３】
脱臭装置３０は、収納箱体１０及び扉１６，１６によって区画された収納空間２の一方の内側面１３ａに沿わせるように設けられる。本実施形態では、脱臭装置３０を、左側板１３の内側面１３ａに沿わせるように設けた例を示している。この脱臭装置３０は、図３（ａ）及び図４に示すように、外郭形状が上下に細長平板状とされている。
また、脱臭装置３０は、上下に延びるように設けられるダクト部材３１と、このダクト部材３１にそれぞれ取り付けられる吸込口ユニット４０及び吹出口ユニット４５と、を備えている。ダクト部材３１は、左側板１３の内側面１３ａとによって少なくとも通気路３６（図１及び図２（ｂ）参照）を形成する構成とされている。また、脱臭装置３０は、この通気路３６を送風する送風器４３を備えている。
【００２４】
ダクト部材３１は、図１及び図３（ｂ）に示すように、左側板１３の内側面１３ａに沿って上下に延びるように設けられ、かつ上端部及び下端部のそれぞれに通気開口部３５，３４を設けた構成とされている。本実施形態では、これら上下の通気開口部３５，３４を、右側板１４の内側面１４ａに向けて開口するように形成している。また、これら通気開口部３５，３４を、前後方向（収納空間２の奥行方向）に細長状の略矩形状とした例を示している（図３（ｂ）参照）。
また、本実施形態では、ダクト部材３１は、図２（ｂ）に示すように、左側板１３の内側面１３ａと対向するように間隔を空けて配設され、後端部が収納空間２の奥側面となる背板１５の手前面１５ａに当接される側板部３２を備えている（図３も参照）。また、ダクト部材３１は、この側板部３２の前端部に連なるように設けられ、左側板１３の内側面１３ａの前端部に当接される前板部３３を備えている。つまり、本実施形態では、ダクト部材３１のこれら側板部３２及び前板部３３と、左側板１３の内側面１３ａと、背板１５の手前面１５ａとによって通気路３６の四周を区画している。
【００２５】
このダクト部材３１は、図２（ｂ）及び図３に示すように、これら側板部３２及び前板部３３によって、平面視して略Ｌ字状とされ、外郭形状が上下に細長平板状のパネル状体とされている。このダクト部材３１の奥行寸法（側板部３２の前後寸法（幅寸法））は、収納空間２の奥行寸法と略同寸法または収納空間２の奥行寸法よりも僅かに小さい寸法としてもよい。図例では、ダクト部材３１の前面側が閉状態とされた扉１６や扉１６の回動連結部材１８と干渉しないように、ダクト部材３１の奥行寸法を、収納空間２の奥行寸法よりも僅かに小さい寸法とした例を示している。これら側板部３２と前板部３３とは、一体的に形成されたものとしてもよく、または、それぞれに別体とされた側板部３２と前板部３３とを接合したものとしてもよい。
【００２６】
また、本実施形態では、このダクト部材３１は、収納空間２の上下の全長に亘る上下寸法とされている。つまり、ダクト部材３１の上端面が、収納空間２の天面となる天板１１の下面１１ａに当接し、ダクト部材３１の下端面が、収納空間２の底面となる底板１２の上面１２ａに当接される構成とされている。このような構成により、ダクト部材３１の上端開口及び下端開口が、天板１１の下面１１ａ及び底板１２の上面１２ａによってそれぞれに封止される構成とされている。
上記のような構成により、ダクト部材３１は、収納空間２に取り付けられた状態では、図４に示すように、収納空間２の一方の内側面を概ね形成するような構成とされている。
また、本実施形態では、ダクト部材３１の上下の通気開口部３５，３４のうちの下側の開口部３４を、吸込口ユニット４０が取り付けられる吸込側開口部３４とし、上側の開口部３５を、吹出口ユニット４５が取り付けられる吹出側開口部３５としている。
【００２７】
なお、このダクト部材３１や、上記した収納箱体１０を構成する各板１１，１２，１３，１４，１５、扉１６，１６は、木質系材料を板状に加工した基材に、適宜、合成樹脂シートや突板等の表面化粧シートを貼着した構成としてもよい。また、基材としては、木質系材料に限られず、木粉・プラスチック複合材（ＷＰＣ）や、合成樹脂系材料、金属系材料等から形成されたものとしてもよい。また、ダクト部材３１の表裏面、少なくとも収納箱体１０を構成する各板１１，１２，１３，１４，１５の収納空間２側の面、閉鎖状態の扉１６の背面、及び各棚板２２，２２，２２の外周表面を、帯電防止性を有したものとしてもよい。つまりは、通気路３６を構成する各板材等の通気路３６側の面及び収納装置１を構成する各板材等の外周表面のうち収納空間２側に露出する面を、帯電防止性を有したものとしてもよい。このような各面への帯電防止性の付与は、各板材自体を無垢木材や木質系材料からなるものとしてもよく、また、表面化粧シートとして突板を採用することで付与するようにしてもよい。または、帯電防止剤を含有した塗料を塗布したり、帯電防止剤を含有した樹脂シート等を貼着したりすることで付与するようにしてもよい。
【００２８】
吸込口ユニット４０は、図１及び図３（ｂ）に示すように、略直方体形状の外郭形状とされ、ダクト部材３１の吸込側開口部３４に嵌め込まれるように取り付けられる。この吸込口ユニット４０のダクト部材３１への取付態様としては、吸込側開口部３４の収納空間２側の開口縁に全周に亘って当接される鍔部を吸込口ユニット４０に設け、この鍔部を介して取り付ける態様としてもよい。
この吸込口ユニット４０は、吸込口を構成し、ガラリやルーバー等からなる吸込部４１を備えている。この吸込部４１は、ダクト部材３１の側板部３２の外側面（右側板１４の内側面１４ａに対向する面）３２ａ側に露出するように設けられている。また、この吸込部４１は、前後方向（収納空間２の奥行方向）に細長状とされ、収納空間２の奥行方向の大半に亘って開口するように形成されている。この吸込部４１の前後寸法としては、収納空間２の奥行寸法の１／２以上としてもよく、３／４以上としてもよい。このような構成により、収納空間２の下端部において、収納空間２の奥行方向の概ね全体に亘って効果的に吸い込むことができる。
【００２９】
また、吸込口ユニット４０は、この吸込部４１の裏側に設けられたフィルタ４２を備えている。このフィルタ４２は、塵埃等の捕捉性や脱臭性を有した活性炭等からなる脱臭フィルタ４２とされている。なお、吸込部４１を、着脱自在とされたカバー体とし、このカバー体を取り外すことで脱臭フィルタ４２の清掃や交換等を可能とする態様としてもよい。また、このような着脱自在とされたカバー体自体に脱臭フィルタ４２を内蔵したような態様としてもよい。また、このように脱臭フィルタ４２を吸込口ユニット４０内に設ける態様に代えて、または加えて、ダクト部材３１の上下の途中部位等の通気路３６内に脱臭フィルタを設ける態様としてもよい。
【００３０】
また、本実施形態では、この吸込口ユニット４０内に、通気路３６を送風する送風器としてのシロッコファン４３を設けた例を示している。図例では、吸込口ユニット４０に、前後方向（収納空間２の奥行方向）に沿って複数（図例では、３つ）のシロッコファン４３を設けた例を示している（図２（ｂ）及び図３（ｂ）参照）。このシロッコファン４３は、その吸込側を吸込部４１に向けて配設され、その吹出側を上方に向けて配設されている。脱臭フィルタ４２は、図１に示すように、このシロッコファン４３の吸込側を覆うように、この吸込側と吸込部４１との間に設けられている。また、吸込口ユニット４０の上面側には、図１及び図２（ｂ）に示すように、シロッコファン４３の吹出口に応じた複数（図例では、３つ）の開口４４が形成されている。
上記のように、吸込口ユニット４０に、送風器としてのシロッコファン４３を内蔵した構成とすることで、例えば、ダクト部材３１の通気路３６の途中位置等に別途、送風器を設ける場合と比べて、組付け性や汎用性を向上させることができる。なお、送風器としては、シロッコファン４３に限られず、クロスフローファンや軸流ファン等を採用するようにしてもよい。
【００３１】
また、本実施形態では、吸込口ユニット４０の幅寸法（左右寸法）を、左側板１３の内側面１３ａからダクト部材３１の外側面３２ａまでの幅寸法（左右寸法）と略同一寸法としている。つまり、吸込口ユニット４０の左右寸法を、ダクト部材３１の左右寸法（厚さ寸法、脱臭装置３０自体の左右寸法（厚さ寸法）に概ね相当する寸法）と略同一寸法としている。このような構成とされた吸込口ユニット４０は、その幅方向一方面となる左側板１３の内側面１３ａに対向する面が、この内側面１３ａに当接または近接される。また、吸込口ユニット４０は、その幅方向他方面となる右側板１４の内側面１４ａに対向する吸込部４１の表面が、ダクト部材３１の外側面３２ａに沿うように設けられる。図例では、ダクト部材３１の左右寸法（厚さ寸法）よりも、吸込口ユニット４０の左右寸法を、鍔部に相当する寸法分、僅かに大きい寸法としているが、鍔部は比較的に薄いため、このようなものも略同一寸法に含むようにしている。
【００３２】
また、吸込口ユニット４０は、ダクト部材３１の外側面３２ａ側と、その上方側の通気路３６とを連通させるように形成されている。つまり、吸込口ユニット４０は、上述のように、吸込部４１を外側面３２ａ側に露出するように設け、この吸込部４１を介して吸込んだ空気を、その上方側の開口４４から上方側の通気路３６に向けて吹き出すように形成されている。なお、送風器としてのシロッコファン４３を吸込口ユニット４０内に設けない態様とした場合には、吸込口ユニット４０の主体となるケーシングを上記のような連通経路を形成するような形状としてもよい。また、送風器としてのシロッコファン４３を吸込口ユニット４０内に設けない態様とした場合には、ダクト部材３１の上下の途中部位や後記する吹出口ユニット４５に送風器を設けるようにしてもよい。
【００３３】
吹出口ユニット４５は、図１及び図３（ｂ）に示すように、略直方体形状の外郭形状とされ、ダクト部材３１の吹出側開口部３５に嵌め込まれるように取り付けられる。この吹出口ユニット４５のダクト部材３１への取付態様としては、上記同様、吹出側開口部３５の収納空間２側の開口縁に全周に亘って当接される鍔部を吹出口ユニット４５に設け、この鍔部を介して取り付ける態様としてもよい。
この吹出口ユニット４５は、吹出口を構成し、ガラリやルーバー等からなる吹出部４６を備えている。この吹出部４６は、ダクト部材３１の外側面３２ａに沿うように設けられている。また、この吹出部４６は、上記した吸込部４１と略同様、前後方向（収納空間２の奥行方向）に細長状とされ、収納空間２の奥行方向の大半に亘って開口するように形成されている。この吹出部４６の前後寸法としては、上記した吸込部４１と同様、収納空間２の奥行寸法の１／２以上としてもよく、３／４以上としてもよい。このような構成により、収納空間２の上端部において、収納空間２の奥行方向の概ね全体から右側板１４側に向けて効果的に吹き出すことができる。
【００３４】
また、本実施形態では、吹出口ユニット４５は、この吹出部４６を開閉する開閉蓋４７を備えている。図例では、開閉蓋４７は、前後方向（収納空間２の奥行方向）に細長状とされた吹出口ユニット４５の前後端部に設けられた支持軸４８（図１及び図３（ｂ）参照）を回動支点として、吹出部４６を迂回するように回動する構造とされている。また、吹出口ユニット４５の後端部側には、図１に示すように、この開閉蓋４７を開閉するモーター等からなる駆動部４９が設けられている。
この開閉蓋４７は、略薄平板状とされており、図１に示すように、開放状態では、左右方向（当該収納装置１の左右方向）に略水平に配置される。また、開閉蓋４７は、開放状態では、吹出部４６の上端側に設けられた開口から、その左右方向一端部となる右側板１４側の端部が吹出部４６よりも右側板１４側に向けて僅かに突出する。また、開閉蓋４７は、開放状態では、その左右方向他端部となる左側板１３側の端部が左側板１３の内側面１３ａに近接される。図例では、この開閉蓋４７の開放状態における左側板１３側の端部を、下方側に向けて湾曲する湾曲形状とした例を示している。また、この開閉蓋４７は、図１の二点鎖線で示すように、閉鎖状態では、吹出部４６の外側面側に沿うように配設され、吹出部４６の略全体を覆う構成とされている。
【００３５】
上記のような構成により、吹出口ユニット４５は、開閉蓋４７を開放させた状態では、上記した吸込口ユニット４０と略同様、ダクト部材３１の外側面３２ａ側と、その下方側の通気路３６とを連通させるように形成されている。つまり、吹出口ユニット４５は、開放状態において略水平に配置される開閉蓋４７によって、通気路３６を上方側に向けて送風される気流方向を、外側面３２ａ側に向けて変更するように誘導し、吹出部４６を介して外側面３２ａ側に向けて吹き出すように形成されている。なお、このような開閉蓋４７を設けた態様に代えて、または加えて、吹出口ユニット４５を、下方側及び右側板１４側に向けて開口するケーシングを備えた構成としてもよい。このようなものでもダクト部材３１の外側面３２ａ側と、その下方側の通気路３６とを連通させるように形成されたものとなる。
【００３６】
また、本実施形態では、吹出口ユニット４５の幅寸法（左右寸法）を、上記した吸込口ユニット４０と略同様、ダクト部材３１の左右寸法（厚さ寸法、脱臭装置３０自体の左右寸法（厚さ寸法）に概ね相当する寸法）と略同一寸法としている。このような構成とされた吹出口ユニット４５は、その幅方向一方面となる左側板１３の内側面１３ａに対向する面が、この内側面１３ａに当接または近接される。また、吹出口ユニット４５は、その幅方向他方面となる右側板１４の内側面１４ａに対向する吸込部４６の表面（図例では、閉鎖状態とされた開閉蓋４７の表面）が、ダクト部材３１の外側面３２ａに沿うように設けられる。図例では、上記同様、ダクト部材３１の左右寸法（厚さ寸法）よりも、吹出口ユニット４５の幅寸法を、鍔部に相当する寸法分、僅かに大きい寸法としているが、鍔部は比較的に薄いため、このようなものも略同一寸法に含むようにしている。
なお、これら吸込口ユニット４０及び吹出口ユニット４５の主体となるケーシングや吸込部４１、吹出部４６、開閉蓋４７等は、合成樹脂系材料や金属系材料等から形成されたものとしてもよい。また、これらの外周表面を、上記同様、帯電防止性を有したものとしてもよい。
【００３７】
また、脱臭装置３０は、除菌・消臭作用を有する帯電微粒子水を放出する静電霧化装置３７を備えている。
静電霧化装置３７は、詳細な図示は省略しているが、水粒子放出部とこれに対向する対向電極との間に高電圧を印加することで水粒子放出部の水分を霧化し、ナノメートルサイズの帯電微粒子水を放出する構成とされている。帯電微粒子水は、ナノメートルサイズ（例えば、５ｎｍ〜２０ｎｍ程度）の粒子径のものを含む帯電した微粒子液滴であり、空気中にミスト状態で浮遊可能なものである。
この静電霧化装置３７としては、水粒子放出部としてのピン状の放電電極（霧化電極）と、この放電電極に対向して配置され、放電電極と同軸状の開口を有してリング形状とされた対向電極とを備えたものとしてもよい。また、これら放電電極と対向電極との間に高電圧を印加することで放電現象を生じさせ、放電電極に保持された水分を静電霧化させることで、帯電微粒子水を電極間から放出する構成とされたものとしてもよい。
【００３８】
上記放電電極（水粒子放出部）に水分を保持させる手段としては、放電電極の基端部に連結された冷却手段により、放電電極を冷却することで、放電電極廻りの空気に含まれる水分（水蒸気）を放電電極の表面に結露させて保持させるようにしてもよい。このような冷却手段としては、例えば、ペルチェ素子等としてもよい。この場合は、ペルチェ素子の冷却面に電気絶縁材を介して放電電極の基端部を連結し、また、ペルチェ素子の放熱面に放熱フィン等からなる放熱部を連結するようにしてもよい。
または、放電電極を多孔質セラミック等の多孔質体で構成し、この放電電極の基端部に、液体を貯留する液体供給部を接続し、この液体供給部からの液体を、放電電極の毛細管現象により吸い上げて、その先端部に水分を保持させる態様としてもよい。
【００３９】
本実施形態では、この静電霧化装置３７を、図１に示すように、吹出口ユニット４５の直下に設けている。図例では、静電霧化装置３７をダクト部材３１の側板部３２の吹出側開口部３５の近傍内側面に固定した例を示している。この静電霧化装置３７は、その帯電微粒子水の放出口を上方側に向け、吹出側開口部３５の前後方向略中央部位直下に設けられている。このような構成により、静電霧化装置３７の放出口から放出された帯電微粒子水は、通気路３６を送風される空気に拡散され、吹出口ユニット４５の吹出部４６から収納空間２に向けて吹き出される。
なお、複数の静電霧化装置３７を、吹出側開口部３５の直下に前後方向に間隔を空けて設けるようにしてもよい。また、静電霧化装置３７の取付位置としては、図例のようなダクト部材３１の側板部３２の吹出側開口部３５の近傍内側面に限られず、他の部位に取り付けるようにしてもよい。また、上記した吹出口ユニット４５の前後端部等に内蔵するようにして静電霧化装置３７を設ける態様としてもよい。このような構成とすれば、上記した送風器（シロッコファン）４３と同様、吹出口ユニット４５に脱臭機能部材としての静電霧化装置３７が設けられることとなり、組付け性や汎用性を向上させることができる。
【００４０】
なお、本実施形態では、脱臭機能部材として、脱臭性を有した脱臭フィルタ４２と、除菌・消臭作用を有する帯電微粒子水を放出する静電霧化装置３７と、を脱臭装置３０に設けた例を示しているが、このような態様に限られない。例えば、これら脱臭フィルタ４２及び静電霧化装置３７のうちのいずれか一方のみを設けるようにしてもよい。また、静電霧化装置３７に代えて、または加えて、脱臭機能部材として、除菌・消臭作用を有するイオンを放出するイオン生成装置を脱臭装置３０の適所に設けるようにしてもよい。
【００４１】
また、脱臭装置３０は、静電霧化装置３７や、シロッコファン４３、開閉蓋４７の駆動部４９に駆動電源を供給する電源部３８と、静電霧化装置３７や、シロッコファン４３、開閉蓋４７の駆動部４９を制御する各種回路等を内蔵した制御部３９と、を備えている。これら電源部３８及び制御部３９と、静電霧化装置３７や、シロッコファン４３、開閉蓋４７の駆動部４９等とは、信号線や電力線等を介して接続されている。また、これら電源部３８及び制御部３９は、図１、図２（ｂ）及び図３（ｂ）に示すように、ダクト部材３１の側板部３２の内側面の上下途中部位に固定される。また、電源部３８には、収納箱体１０の天板１１や底板１２、左側板１３、背板１５等に設けた配線孔を介して配線された電力線等が接続される。
【００４２】
なお、脱臭装置３０は、図示は省略しているが、静電霧化装置３７やシロッコファン４３のＯＮ／ＯＦＦ操作や、開閉蓋４７を開閉操作する操作部を備えている。この操作部は、ダクト部材３１の側板部３２や前板部３３の適所に取付開口を設け、この取付開口に嵌め込むようにして取り付けるようにしてもよい。また、静電霧化装置３７とシロッコファン４３とは、個別にＯＮ／ＯＦＦ操作が可能とされたものとしてもよく、または、同期してＯＮ／ＯＦＦされるものとしてもよい。また、これら静電霧化装置３７やシロッコファン４３のＯＮ／ＯＦＦに連動して開閉蓋４７が開閉されるものとしてもよい。また、脱臭装置３０の吸込側の適所等に、臭いセンサーや埃センサー等の検出部を設け、該検出部の検出に基づいて静電霧化装置３７やシロッコファン４３のＯＮ／ＯＦＦ制御がなされるものとしてもよい。また、操作部にタイマー等を設け、静電霧化装置３７やシロッコファン４３をタイマー駆動可能とする態様としてもよい。
【００４３】
また、脱臭装置３０の吸込口ユニット４０や吹出口ユニット４５、静電霧化装置３７、電源部３８、制御部３９、操作部等のダクト部材３１への取り付けは、取付金具やねじ等の締結具、接着剤等によって取り付けるようにしてもよい。
また、脱臭装置３０のダクト部材３１の収納箱体１０への取り付けも同様、取付金具やねじ等の締結具、接着剤等によって取り付けるようにしてもよい。また、ダクト部材３１と収納箱体１０との当接部位に沿って通気路３６を気密にするシール部材等を配設するようにしてもよい。
【００４４】
上記構成とされた本実施形態に係る脱臭装置３０によれば、収納装置１の収納空間２を効果的に脱臭可能でありながらも、種々の寸法の収納空間２に簡易に適用することができる。
つまり、収納空間２の一方の内側面１３ａとによって少なくとも通気路３６を形成するように内側面１３ａに沿って上下に延びるように設けられるダクト部材３１の上端部及び下端部に吸込口ユニット４０及び吹出口ユニット４５を設けた構造とされている。従って、収納空間２の一方の内側面１３ａ側の上端部及び下端部に、吸込口ユニット４０及び吹出口ユニット４５が設けられることとなる。そのため、通気路３６を送風する送風器（シロッコファン）４３を駆動させることで、収納空間２の空気を上下に大きく循環させて送風でき、収納空間２を効果的に脱臭することができる。
また、このような脱臭装置３０を備えた収納装置１によれば、その収納空間２の空気が脱臭装置３０によって上下に大きく循環されるようにして送風され、収納空間２を効果的に脱臭することができる。
【００４５】
また、脱臭装置３０は、ダクト部材３１を、収納空間２の一方の内側面１３ａとによって少なくとも通気路３６を形成する構成としているので、簡易な構造とすることができる。
また、脱臭装置３０は、ダクト部材３１の通気開口部３４，３５に取り付けられる吸込口ユニット４０及び吹出口ユニット４５を備えた構成とされているので、種々の寸法の収納空間２に簡易に適用することができる。つまり、ダクト部材３１を収納空間２の寸法に応じたものとすれば、このダクト部材３１の通気開口部３４，３５に対して吸込口ユニット４０及び吹出口ユニット４５を取り付けることができるので、種々の寸法の収納空間２に簡易に適用することができる。つまりは、比較的に簡易な構造のダクト部材３１を収納空間２の寸法に応じたものとし、脱臭装置３０のその他の構成部材は共通のものを利用できるので、種々の寸法の収納空間２に簡易に適用することができる。
【００４６】
また、本実施形態では、ダクト部材３１を、側板部３２と前板部３３とを備えた平面視（横断面）略Ｌ字状のパネル状体としている。従って、収納空間２の一方の内側面１３ａに加えて、収納空間２の奥側面となる背板１５の手前面１５ａも通気路３６を形成することとなり、ダクト部材３１の構造の簡略化をより図ることができる。つまり、例えば、ダクト部材３１を、一方の内側面１３ａ側に向けて開口する平面視（横断面）略コ字状（略Ｕ字状または略Ｃ字状）とすることも考えられるが、上記構成とすれば、このようなものと比べて、より構造の簡略化を図ることができる。
さらに、本実施形態では、ダクト部材３１の上端開口及び下端開口が、天板１１の下面１１ａ及び底板１２の上面１２ａによってそれぞれに封止される構成とされている。従って、例えば、ダクト部材３１の上端部及び下端部に上板部及び下板部を設けた場合と比べて、より構造の簡略化を図ることができる。また、このような構成によれば、種々の寸法、特に、種々の上下寸法とされた収納空間２により簡易に適用することができる。
【００４７】
また、本実施形態では、ダクト部材３１の上下の通気開口部３４，３５を、収納空間２の他方の内側面１４ａ側に向けて開口するように形成している。従って、上下の通気開口部３４，３５が収納空間２の他方の内側面１４ａ側に向けて開口するように形成されているので、例えば、上下方向等に開口したものと比べて、より効果的に収納空間２の空気を循環させることができる。
また、本実施形態では、吸込口ユニット４０及び吹出口ユニット４５を、収納空間２の一方の内側面１３ａからダクト部材３１の外側面３２ａまでの幅寸法と略同一の幅寸法とし、ダクト部材３１の外側面３２ａ側と通気路３６とを連通させるように形成している。従って、脱臭装置３０の薄型化を効率的に図ることができる。なお、これら吸込口ユニット４０及び吹出口ユニット４５のうちのいずれか一方のみを、収納空間２の一方の内側面１３ａからダクト部材３１の外側面３２ａまでの幅寸法と略同一の幅寸法としてもよい。
【００４８】
また、本実施形態では、収納装置１に、収納空間２の他方の内側面１４ａから間隔を空けて配設された上下に延びる棒状体１９を設け、この棒状体１９と他方の内側面１４ａとに架け渡すようにして上下に複数の棚板２２，２２，２２を設けている。従って、例えば、複数の棚板の内方側端部を支持する縦仕切板を設けた場合と比べて、これら棚板２２，２２，２２によって上下に仕切られた空間に効果的に送風することができ、これら空間を効果的に脱臭することができる。
また、本実施形態では、これら棚板２２，２２，２２を、多孔状としているので、これら棚板２２，２２，２２を介して上下に空気をスムーズに流通させることができる。従って、これら棚板２２，２２，２２によって上下に仕切られた空間をより効果的に脱臭することができる。なお、本実施形態では、複数の棚板２２，２２，２２の全てを多孔状とした例を示しているが、これらのうちの少なくとも一つを多孔状とするようにしてもよい。
【００４９】
また、本実施形態では、脱臭装置３０側の左側空間３を、上下に比較的に大きな一連の空間とされた衣類収納スペースとしている。従って、脱臭装置３０の吹出口ユニット４５の吹出部４６から吹き出された空気が仕切板等によって遮断されることなく、右側空間４側に向けて送風され、収納空間２内を大きく上下に循環するようにして吸込口ユニット４０の吸込部４１から吸込まれることとなる。従って、収納空間２の空気を上下に大きく循環させてより効果的に送風でき、収納空間２をより効果的に脱臭することができる。
また、本実施形態では、脱臭装置３０に、静電霧化装置３７を設けている。従って、上記のように収納空間２を上下に大きく循環して送風される空気に帯電微粒子水を拡散させることができ、収納空間２に収納された収納物に、帯電微粒子水を効果的に付着させることができる。
【００５０】
なお、本実施形態では、脱臭装置３０の下端部に吸込口ユニット４０を設け、上端部に吹出口ユニット４５を設けた例を示しているが、これらを上下逆側にそれぞれ設けるようにしてもよい。
また、本実施形態では、収納装置１を、靴７等の収納が可能な玄関収納装置とした例を示しているが、このような態様に限られず、上下に比較的に大きい収納空間２を有した衣類収納装置や食器、小物等の各種物品を収納する収納装置としてもよい。
また、収納装置１としては、図例のようなものに限られず、収納空間２の上側や下側等に更に他の収納空間を設けた態様としてもよい。この場合は、横仕切板等によって上下の収納空間を区画するようにしてもよい。
【符号の説明】
【００５１】
１        収納装置
２        収納空間
１０      収納箱体
１３ａ    左側板の内側面（収納空間の一方の内側面）
１４ａ    右側板の内側面（収納空間の他方の内側面）
１５ａ    背板の手前面（収納空間の奥側面）
１６      扉
１９      棒状体
２２      棚板
３０      脱臭装置
３１      ダクト部材
３２      側板部
３２ａ    外側面
３３      前板部
３４      吸込側開口部（一方の通気開口部）
３５      吹出側開口部（他方の通気開口部）
３６      通気路
４０      吸込口ユニット
４３      シロッコファン（送風器）
４５      吹出口ユニット
【図１】
2013183854.tif 000003
【図２】
2013183854.tif 000004
【図３】
2013183854.tif 000005
【図４】
2013183854.tif 000006